(57)【要約】本発明は多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを測定するように適合した第１の測定ユニット（１１０）と、前記測定されたＴＡＥとＦＡＥとの内の少なくともいずれかを前記複数の送信ポイントデバイスの内の少なくとも１つにフィードバックするように適合した第１のフィードバックユニット（１２０）とを有し、前記ＴＡＥは内部ＴＡＥと外部ＴＡＥとの内の少なくともいずれかを含むことを特徴とするユーザ機器（ＵＥ）（１００）を開示する。本発明は、簡単で直接的で効率的なアプローチを提供して、ＵＥによるセル固有の内部ＴＡＥとＵＥ固有の外部ＴＡＥとＦＡＥとを測定してフィードバックし、ＣｏＭＰ送信における送信ポイントデバイスによるＴＡＥ／ＦＡＥを補償して前記ＣｏＭＰ送信が正しく動作できるようにする。
2014527346.tif 000002
【特許請求の範囲】
【請求項１】
多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを測定するように適合した第１の測定ユニット（１１０）と、
前記測定されたＴＡＥとＦＡＥとの内の少なくともいずれかを前記複数の送信ポイントデバイスの内の少なくとも１つにフィードバックするように適合した第１のフィードバックユニット（１２０）とを有し、
前記ＴＡＥは内部ＴＡＥと外部ＴＡＥとの内の少なくともいずれかを含むことを特徴とするユーザ機器（ＵＥ）（１００）。
【請求項２】
前記内部ＴＡＥは、同じ送信ポイントデバイスにおける複数のアンテナポートの間のＴＡＥであり、
前記外部ＴＡＥは、異なる送信ポイントデバイスにおける複数のアンテナポートの間のＴＡＥであり、
前記ＦＡＥは、サービング送信ポイントデバイスと他の送信ポイントデバイスとの間のＦＡＥと同じ送信ポイントデバイスにおける複数のアンテナポートの間のＦＡＥとの内の少なくともいずれかであることを特徴とする請求項１に記載のユーザ機器。
【請求項３】
前記内部ＴＡＥはセル固有であり、
前記外部ＴＡＥと前記ＦＡＥとはＵＥ固有であることを特徴とする請求項１又は２に記載のユーザ機器。
【請求項４】
プリコーディングマトリクスインデックス（ＰＭＩ）とチャネル品質インジケータ（ＣＱＩ）とランクインジケータ（ＲＩ）との内の少なくとも１つを、前記測定された内部ＴＡＥと前記測定された外部ＴＡＥと前記測定されたＦＡＥとの内の少なくともいずれかで補償されたチャネルに基づいて計算するよう適合した計算ユニット（１３０）をさらに有し、
前記第１のフィードバックユニット（１２０）はさらに、前記複数の送信ポイントデバイスの内の少なくとも１つに、前記計算の結果をフィードバックするよう適合していることを特徴とする請求項１乃至３のいずれか１項に記載のユーザ機器。
【請求項５】
前記第１の測定ユニット（１１０）は、特定の時刻で異なる周波数の複数のアンテナポートの間の位相差に基づいて前記ＴＡＥを測定するよう適合していることを特徴とする請求項１乃至４のいずれか１項に記載のユーザ機器。
【請求項６】
前記第１の測定ユニット（１１０）は、特定の周波数の異なる時刻で複数のアンテナポートの間の位相差に基づいて前記ＦＡＥを測定するよう適合していることを特徴とする請求項１乃至４のいずれか１項に記載のユーザ機器。
【請求項７】
前記ＵＥは、複数のＵＥを含む少なくとも１つのセットに属し、
前記少なくとも１つのセットとは、
それぞれが前記内部ＴＡＥを測定するように適合した第２の測定ユニットと前記複数の送信ポイントデバイスの少なくとも１つに前記内部ＴＡＥをフィードバックするように適合した第２のフィードバックユニットとを有する複数のＵＥを含む第１のセットと、
それぞれが前記外部ＴＡＥを測定するように適合した第３の測定ユニットと前記複数の送信ポイントデバイスの少なくとも１つに前記外部ＴＡＥをフィードバックするように適合した第３のフィードバックユニットとを有する複数のＵＥを含む第２のセットと、
それぞれが前記ＦＡＥを測定するように適合した第４の測定ユニットと前記複数の送信ポイントデバイスの少なくとも１つに前記ＦＡＥをフィードバックするように適合した第４のフィードバックユニットとを有する複数のＵＥを含む第３のセットであることを特徴とする請求項１乃至６のいずれか１項に記載のユーザ機器。
【請求項８】
多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを補償する送信ポイントデバイス（２００）であって、
前記ＴＡＥは内部ＴＡＥと外部ＴＡＥとの内の少なくともいずれかを含み、前記送信ポイントデバイス（２００）は、
１つ以上のユーザ機器（ＵＥ）から、前記内部ＴＡＥと前記外部ＴＡＥと前記ＦＡＥとの内の少なくともいずれかを受信するように適合した受信ユニット（２１０）と、
前記受信した前記内部ＴＡＥと前記外部ＴＡＥと前記ＦＡＥとの内の少なくともいずれかに基づいて、前記複数のアンテナポート各々について前記内部ＴＡＥと前記外部ＴＡＥと前記ＦＡＥとの内の少なくともいずれかを補償するように適合した補償ユニット（２２０）とを有することを特徴とする送信ポイントデバイス。
【請求項９】
前記内部ＴＡＥは、同じ送信ポイントデバイスにおける複数のアンテナポートの間のＴＡＥであり、
前記外部ＴＡＥは、異なる送信ポイントデバイスにおける複数のアンテナポートの間のＴＡＥであり、
前記ＦＡＥは、サービング送信ポイントデバイスと他の送信ポイントデバイスとの間のＦＡＥと同じ送信ポイントデバイスにおける複数のアンテナポートの間のＦＡＥとの内の少なくともいずれかであることを特徴とする請求項８に記載の送信ポイントデバイス。
【請求項１０】
前記内部ＴＡＥはセル固有であり、
前記外部ＴＡＥと前記ＦＡＥとはＵＥ固有であることを特徴とする請求項８又は９に記載の送信ポイントデバイス。
【請求項１１】
前記１つ以上のＵＥから、前記内部ＴＡＥを測定しフィードバックするように適合した複数のＵＥを含む第１のセットと、前記外部ＴＡＥを測定しフィードバックするように適合した複数のＵＥを含む第２のセットと、前記ＦＡＥを測定しフィードバックするように適合した複数のＵＥを含む第３のセットとを判断するように適合した判断ユニット（２０５）をさらに有することを特徴とする請求項８乃至１０のいずれか１項に記載の送信ポイントデバイス。
【請求項１２】
前記受信ユニット（２１０）はさらに、前記複数のＵＥを含む前記第１のセットと前記複数のＵＥを含む前記第２のセットと前記複数のＵＥを含む前記第３のセットとから、前記内部ＴＡＥと前記外部ＴＡＥと前記ＦＡＥとの内の少なくともいずれかを受信するように適合していることを特徴とする請求項１１に記載の送信ポイントデバイス。
【請求項１３】
前記受信ユニット（２１０）により受信される同じ送信ポイントデバイスに関係する、前記第１のセットの前記複数のＵＥの間の複数のＵＥにより測定される複数の内部ＴＡＥを平均することと、前記受信ユニット（２１０）により受信される同じペアの送信ポイントデバイスに関係する、前記第３のセットの前記複数のＵＥの間の複数のＵＥにより測定される複数のＴＡＥを平均することとの内、少なくともいずれかを実行するように適合した平均化ユニット（２０６）をさらに有することを特徴とする請求項１１又は１２に記載の送信ポイントデバイス。
【請求項１４】
前記補償ユニット（２２０）はさらに、前記平均化された内部ＴＡＥと前記平均化された外部ＴＡＥと前記平均化されたＦＡＥとの内の少なくともいずれかに基づいて、複数のアンテナポート各々について前記内部ＴＡＥと前記外部ＴＡＥと前記ＦＡＥとの内の少なくともいずれかを補償するように適合していることを特徴とする請求項１３に記載の送信ポイントデバイス。
【請求項１５】
前記判断ユニット（２０５）は、チャネル条件に従って前記複数のＵＥを含む前記第１のセットを判断し、前記ＣｏＭＰによりサービスを受けているものとして前記複数のＵＥを含む前記第２のセットを判断し、チャネル条件に従って前記複数のＵＥを含む前記第３のセットを判断することを特徴とする請求項１１乃至１４のいずれか１項に記載の送信ポイントデバイス。
【請求項１６】
前記補償ユニット（２２０）は、時間領域で前記内部ＴＡＥを補償し、周波数領域で前記外部ＴＡＥと前記ＦＡＥの両方を補償することを特徴とする請求項８乃至１５のいずれか１項に記載の送信ポイントデバイス。
【請求項１７】
前記補償ユニット（２２０）は、前記受信した内部ＴＡＥと前記受信した外部ＴＡＥと前記受信したＦＡＥとの内の少なくともいずれかに基づいて、前記複数の送信ポイントデバイスから複数のアンテナポート各々へ送信される信号について、前記内部ＴＡＥと前記外部ＴＡＥと前記ＦＡＥとの内の少なくとも少なくともいずれかによる位相差を補償することを特徴とする請求項８乃至１６のいずれか１項に記載の送信ポイントデバイス。
【請求項１８】
多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを補償するシステムであって、
前記ＴＡＥは内部ＴＡＥと外部ＴＡＥとの内の少なくともいずれかを含み、前記システムは、
請求項１乃至７のいずれか１項に記載の１つ以上のユーザ機器（ＵＥ）と、
請求項８乃至１７のいずれか１項に記載の送信ポイントデバイスとを有することを特徴とするシステム。
【請求項１９】
ユーザ機器（ＵＥ）（１００）で用いられる方法であって、
多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを測定する工程（１１００）と、
前記測定されたＴＡＥとＦＡＥとの内の少なくともいずれかを前記複数の送信ポイントデバイスの内の少なくとも１つにフィードバックする工程（１２００）とを有し、
前記ＴＡＥは内部ＴＡＥと外部ＴＡＥとの内の少なくともいずれかを含むことを特徴とする方法。
【請求項２０】
前記内部ＴＡＥは、同じ送信ポイントデバイスにおける複数のアンテナポートの間のＴＡＥであり、
前記外部ＴＡＥは、異なる送信ポイントデバイスにおける複数のアンテナポートの間のＴＡＥであり、
前記ＦＡＥは、サービング送信ポイントデバイスと他の送信ポイントデバイスとの間のＦＡＥと同じ送信ポイントデバイスにおける複数のアンテナポートの間のＦＡＥとの内の少なくともいずれかであることを特徴とする請求項１９に記載の方法。
【請求項２１】
前記内部ＴＡＥはセル固有であり、
前記外部ＴＡＥと前記ＦＡＥとはＵＥ固有であることを特徴とする請求項１９又は２０に記載の方法。
【請求項２２】
プリコーディングマトリクスインデックス（ＰＭＩ）とチャネル品質インジケータ（ＣＱＩ）とランクインジケータ（ＲＩ）との内の少なくとも１つを、前記測定された内部ＴＡＥと前記測定された外部ＴＡＥと前記測定されたＦＡＥとの内の少なくともいずれかで補償されたチャネルに基づいて計算する工程（１３００）と、
前記複数の送信ポイントデバイスの内の少なくとも１つに、前記計算の結果をフィードバックする工程（１４００）とをさらに有することを特徴とする請求項１９乃至２１のいずれか１項に記載の方法。
【請求項２３】
前記ＴＡＥを測定する工程は、特定の時刻で異なる周波数の複数のアンテナポートの間の位相差に基づいて実行されることを特徴とする請求項１９乃至２２のいずれか１項に記載の方法。
【請求項２４】
前記ＦＡＥを測定する工程は、特定の周波数の異なる時刻で複数のアンテナポートの間の位相差に基づいて実行されることを特徴とする請求項１９乃至２２のいずれか１項に記載の方法。
【請求項２５】
前記ＵＥは、それぞれが複数のＵＥを含む第１のセットと第２のセットと第３のセットとの内の少なくとも１つのセットに属し、
前記複数のＵＥを含む第１のセットは、それぞれが前記内部ＴＡＥを測定し、前記複数の送信ポイントデバイスの少なくとも１つに前記内部ＴＡＥをフィードバックするものであり、
前記複数のＵＥを含む第２のセットは、それぞれが前記外部ＴＡＥを測定し、前記複数の送信ポイントデバイスの少なくとも１つに前記外部ＴＡＥをフィードバックするものであり、
前記複数のＵＥを含む第３のセットは、それぞれが前記ＦＡＥを測定し、前記複数の送信ポイントデバイスの少なくとも１つに前記ＦＡＥをフィードバックするものであることを特徴とする請求項１９乃至２４のいずれか１項に記載の方法。
【請求項２６】
多地点協調送信（ＣｏＭＰ）において複数の送信ポイントデバイスに属する複数のアンテナポートの時間アライメントエラー（ＴＡＥ）と周波数アライメントエラー（ＦＡＥ）との内の少なくともいずれかを送信ポイントデバイス（２００）により補償する方法（２０００）であって、
前記ＴＡＥは内部ＴＡＥと外部ＴＡＥとの内の少なくともいずれかを含み、前記方法（２０００）は、
１つ以上のユーザ機器（ＵＥ）から、前記内部ＴＡＥと前記外部ＴＡＥと前記ＦＡＥとの内の少なくともいずれかを受信する工程（２１００）と、
前記受信した前記内部ＴＡＥと前記外部ＴＡＥと前記ＦＡＥとの内の少なくともいずれかに基づいて、前記複数のアンテナポート各々について前記内部ＴＡＥと前記外部ＴＡＥと前記ＦＡＥとの内の少なくともいずれかを補償する工程（２２００）とを有することを特徴とする方法。
【請求項２７】
前記内部ＴＡＥは、同じ送信ポイントデバイスにおける複数のアンテナポートの間のＴＡＥであり、
前記外部ＴＡＥは、異なる送信ポイントデバイスにおける複数のアンテナポートの間のＴＡＥであり、
前記ＦＡＥは、サービング送信ポイントデバイスと他の送信ポイントデバイスとの間のＦＡＥと同じ送信ポイントデバイスにおける複数のアンテナポートの間のＦＡＥとの内の少なくともいずれかであることを特徴とする請求項２６に記載の方法。
【請求項２８】
前記内部ＴＡＥはセル固有であり、
前記外部ＴＡＥと前記ＦＡＥとはＵＥ固有であることを特徴とする請求項２６又は２７に記載の方法。
【請求項２９】
前記１つ以上のＵＥから、前記内部ＴＡＥを測定しフィードバックするように適合した複数のＵＥを含む第１のセットと、前記外部ＴＡＥを測定しフィードバックするように適合した複数のＵＥを含む第２のセットと、前記ＦＡＥを測定しフィードバックするように適合した複数のＵＥを含む第３のセットとを判断する工程（２０５０）をさらに有することを特徴とする請求項２６乃至２８のいずれか１項に記載の方法。
【請求項３０】
前記受信する工程（２１００）において、前記内部ＴＡＥと前記外部ＴＡＥと前記ＦＡＥとの内の少なくともいずれかは、前記複数のＵＥを含む前記第１のセットと前記複数のＵＥを含む前記第２のセットと前記複数のＵＥを含む前記第３のセットとから、それぞれ受信されることを特徴とする請求項２９に記載の方法。
【請求項３１】
同じ送信ポイントデバイスに関係する、前記第１のセットの前記複数のＵＥの間の複数のＵＥにより測定される複数の内部ＴＡＥを平均することと、同じペアの送信ポイントデバイスに関係する、前記第３のセットの前記複数のＵＥの間の複数のＵＥにより測定される複数のＴＡＥを平均することとの内、少なくともいずれかを実行する工程をさらに有することを特徴とする請求項２９又は３０に記載の方法。
【請求項３２】
前記補償する工程（２２００）において、前記平均化された内部ＴＡＥと前記平均化された外部ＴＡＥと前記平均化されたＦＡＥとの内の少なくともいずれかに基づいて、複数のアンテナポート各々について前記内部ＴＡＥと前記外部ＴＡＥと前記ＦＡＥとの内の少なくともいずれかが補償されることを特徴とする請求項３１に記載の方法。
【請求項３３】
前記複数のＵＥを含む前記第１のセットを判断する工程は、チャネル条件に従って実行され、前記複数のＵＥを含む前記第２のセットを判断する工程は、ＵＥが前記ＣｏＭＰによりサービスを受ける前記ＵＥであるかどうかに従って実行され、前記複数のＵＥを含む前記第３のセットを判断する工程はチャネル条件に従って実行されることを特徴とする請求項２９乃至３２のいずれか１項に記載の方法。
【請求項３４】
前記内部ＴＡＥを補償する工程は時間領域で実行され、前記外部ＴＡＥと前記ＦＡＥの両方を補償する工程は周波数領域で実行されることを特徴とする請求項２６乃至３３のいずれか１項に記載の方法。
【請求項３５】
前記補償する工程は、前記受信した内部ＴＡＥと前記受信した外部ＴＡＥと前記受信したＦＡＥとの内の少なくともいずれかに基づいて、前記複数の送信ポイントデバイスから複数のアンテナポート各々へ送信される信号について、前記内部ＴＡＥと前記外部ＴＡＥと前記ＦＡＥとの内の少なくとも少なくともいずれかによる位相差を補償する工程を有することを特徴とする請求項２６乃至３４のいずれか１項に記載の方法。
【請求項３６】
コンピュータ可読媒体に格納されたコンピュータ実行可能なコードの実行時、プロセッサに請求項１９乃至３５のいずれか１項に記載の方法を実行させることを特徴とするコンピュータプログラム。
【請求項３７】
実行時にはプロセッサに請求項１９乃至３５のいずれか１項に記載の方法を実行させるコンピュータ実行可能なコードを格納したことを特徴とするコンピュータ可読媒体。
【発明の詳細な説明】
【技術分野】
【０００１】
本発明は一般に無線通信の分野に関し、更に詳細には、多地点協調送信（ＣｏＭＰ）におけるアンテナポートの時間アライメントエラー（ＴＡＥ）と周波数アライメントエラー（ＦＡＥ）との内の少なくともいずれかの測定、フィードバック、及び補償に関する。
【背景技術】
【０００２】
３ＧＰＰにおいて、多地点協調送信（ＣｏＭＰ）は速いデータ速度とカバレッジとセル周縁部のスループットを改善することと、システムスループットの改善することとの内、少なくともいずれかを実行するためのツールと考えられている。ＣｏＭＰ送信では、２つのモードが定義されている。１つはジョイント送信（ＪＴ）であり、もう１つは協調スケジューリング／ビームフォーミング（ＣＳ／ＣＢ）である。ＣｏＭＰ送信において、複数の送信ポイントデバイス（例えば、基地局、ノードＢ、発展型ノードＢ（ｅＮＢ））は１つのユーザ機器（ＵＥ）に対してデータを同時に送信できる。Ｍ個の送信ポイントデバイスがあり、各デバイスはＫ個のアンテナポートを有し、そのアンテナポートは実際上、単一の物理的送信アンテナとして、或いは、複数の物理的アンテナ要素の組み合わせとして実装されても良いと仮定するなら、時刻ｔ、周波数ｆにおいて、ｍ番目の送信ポイントデバイスのｋ番目のポートから到来する信号は、
ｒk,m（ｆ，ｔ）＝ｅｘｐ｛−ｊ２π（ｆ＋Δｆk,m）（ｔ＋τk,m）｝
ｋ＝０，１，……，Ｋ−１            （１）
で与えられる。
【０００３】
ここで、Δｆk,mとτk,mはそれぞれ、基準ポートに関してｍ番目の送信ポイントデバイスのｋ番目のポートの周波数オフセットと時間オフセットである。
【０００４】
（ｋ1，ｍ1）番目のポートと（ｋ2，ｍ2）番目のポートとの間の位相差は、
θk1,k2,m1,m2（ｆ，ｔ）＝
−ｊ２π｛（Δｆk1,m1−Δｆk2,m2）ｔ＋（τk1,m1−τk2,m2）ｆ＋φk1,k2,m1,m2｝
（２）
である。
【０００５】
ここで、φk1,k2,m1,m2＝Δｆk1,m1τk1,m1−Δｆk2,m2τk2,m2    （３）
である。
【０００６】
式（２）から、その位相差はＦＡＥ（Δｆk1,m1−Δｆk2,m2）及びＴＡＥ（τk1,m1−τk2,m2）と密接な関係があることが理解される。ここで、ＦＡＥとＴＡＥとはそれぞれ、アンテナポート間の周波数オフセットと時間オフセットである。特許文献１は送信ユニットから受信ユニットへ送信される信号の時間ミスアライメント（即ち、ＴＡＥ）を較正する方法を開示している。
【０００７】
ＣｏＭＰ送信に関し、ＴＡＥは、サブフレーム時間オフセットと、送信遅延と、ポート間の時間オフセットとを含む。ＴＡＥは、単一セルにおけるＴＡＥよりかなり長い、例えば、６５ナノ秒であることが予想される。６５ナノ秒があるとしても、式（２）に従えば、最小副搬送波と最大副搬送波との間の最大位相差は、２０ＭＨｚのバンド幅をもつシステムでは、２．３πより大きい。そのような時間ミスアライメントは通常、特に、バンド幅が広いシステムでは周波数選択が増加するという結果になる。送信機において時間ミスアライメントの知識がないなら、ジョイントプリコーディングを行うＣｏＭＰは、特に、１個のプリコーディングマトリクスインデックス（ＰＭＩ）を用いた広帯域プリコーディングを行うという方針の下では、ＴＡＥによる周波数変動が広帯域プリコーディングにこれ以上マッチしないので、重大な問題が生じる。
【０００８】
式（２）で示されているように、ＴＡＥ以外に、ＦＡＥもまたプリコーディングの性能に大きな影響がある。実際、送信ポイントデバイスとＵＥとの間の周波数オフセットは従来、復調性能を改善するために、ＵＥにより推定され補償される。ＦＡＥは、１つのリモート無線ユニット（ＲＲＵ）多入力多出力（ＭＩＭＯ）を用いたシングルセル送信では、同じ発振器が複数の送信アンテナに接続するＲＦチェインのために用いられるので、深刻な問題にならないかもしれない。しかしながら、実際、地理的に分離した多数の送信地点、例えば、ＣｏＭＰジョイント送信（ＣｏＭＰ−ＪＴ）のために同じ発振器を用いることは通常不可能である。現在の３ＧＰＰ  ＲＡＮ４技術仕様によれば、周波数エラーの最低限の要求は広域基地局に対して±０．０５ｐｐｍ以内である。この要求で、フィードバック遅延は５ミリ秒、周波数は２．６ＧＨｚと仮定すると、式（２）によれば、フィードバック位相と使用位相との間の位相差は２．６πである。これはＣｏＭＰ送信ができない原因となる。
【０００９】
復調基準信号（ＤＭＲＳ）に基づくプリコーディング技術において、ＵＥ側でＦＡＥとＴＡＥとを補償することは難しい。ＤＭＲＳに基づくプリコーディング技術では、ＵＥにより見られるチャネルは多地点からの合成であるので、ＵＥは異なるアンテナからの信号を区別することはできない。それ故に、ＦＡＥとＴＡＥとは十分に補償されない。一方、セル固有基準信号（ＣＲＳ）に基づいた、或いは、チャネル状態情報基準システム（ＣＳＩ−ＲＳ）に基づいたプリコーディング技術では、ＦＡＥとＴＡＥとは推定される。
【先行技術文献】
【特許文献】
【００１０】
【特許文献１】国際公開第２００８／０９７１８７号公報
【発明の概要】
【００１１】
本発明の目的は、送信ポイントデバイス側におけるＣｏＭＰ送信においてＴＡＥとＦＡＥとの内の少なくともいずれかを補償する方法を提供することにある。シングルセルＭＩＭＯにおけるＴＡＥ補償と比較して、ＣｏＭＰ送信におけるＴＡＥ／ＦＡＥ補償は異なっている。シングルセルでは、異なるＵＥにより見られるＴＡＥは同じである。しかしながら、ＣｏＭＰ送信では、異なるＵＥにより見られるＴＡＥは同じではない。ＴＡＥ補償の他に、送信ポイントデバイスはＦＡＥ補償を必要とする。ＣｏＭＰ送信におけるＴＡＥと同じように、異なるＵＥにより見られるＦＡＥは必ずしも同じである必要はない。
【００１２】
本発明を第１の側面から見れば、ＵＥが備えられる。そのＵＥは、ＣｏＭＰ送信において複数の送信ポイントデバイスに属する複数のアンテナポートのＴＡＥとＦＡＥとの内の少なくともいずれかを測定するように適合した第１の測定ユニットと、前記測定されたＴＡＥとＦＡＥとの内の少なくともいずれかを前記複数の送信ポイントデバイスの内の少なくとも１つにフィードバックするように適合した第１のフィードバックユニットとを有し、前記ＴＡＥは内部ＴＡＥと外部ＴＡＥとの内の少なくともいずれかを含む。
【００１３】
本発明の実施例に従えば、前記内部ＴＡＥは、同じ送信ポイントデバイスにおける複数のアンテナポートの間のＴＡＥであり、前記外部ＴＡＥは、異なる送信ポイントデバイスにおける複数のアンテナポートの間のＴＡＥであり、前記ＦＡＥはサービング送信ポイントデバイスと他の送信ポイントデバイスとの間のＦＡＥと同じ送信ポイントデバイスにおける複数のアンテナポートの間のＦＡＥとの内の少なくともいずれかである。
【００１４】
本発明の実施例に従えば、前記内部ＴＡＥはセル固有であり、前記外部ＴＡＥと前記ＦＡＥとはＵＥ固有である。
【００１５】
本発明の実施例に従えば、前記ＵＥは、プリコーディングマトリクスインデックス（ＰＭＩ）とチャネル品質インジケータ（ＣＱＩ）とランクインジケータ（ＲＩ）との内の少なくとも１つを、前記測定された内部ＴＡＥと前記測定された外部ＴＡＥと前記測定されたＦＡＥとの内の少なくともいずれかで補償されたチャネルに基づいて計算するよう適合した計算ユニットをさらに有する。前記第１のフィードバックユニットはさらに、前記複数の送信ポイントデバイスの内の少なくとも１つに、前記計算の結果をフィードバックするよう適合している。
【００１６】
本発明の実施例に従えば、前記第１の測定ユニットは特定の時刻で異なる周波数の複数のアンテナポートの間の位相差に基づいて前記ＴＡＥを測定するよう適合している。
【００１７】
本発明の実施例に従えば、前記第１の測定ユニットは特定の周波数の異なる時刻で複数のアンテナポートの間の位相差に基づいて前記ＦＡＥを測定するよう適合している。
【００１８】
本発明の実施例に従えば、前記ＵＥは、複数のＵＥを含む少なくとも１つのセットに属しており、そのセットとは、それぞれが前記内部ＴＡＥを測定するように適合した第２の測定ユニットと前記複数の送信ポイントデバイスの少なくとも１つに前記内部ＴＡＥをフィードバックするように適合した第２のフィードバックユニットとを有する複数のＵＥを含む第１のセットと、それぞれが前記外部ＴＡＥを測定するように適合した第３の測定ユニットと前記複数の送信ポイントデバイスの少なくとも１つに前記外部ＴＡＥをフィードバックするように適合した第３のフィードバックユニットとを有する複数のＵＥを含む第２のセットと、それぞれが前記ＦＡＥを測定するように適合した第４の測定ユニットと前記複数の送信ポイントデバイスの少なくとも１つに前記ＦＡＥをフィードバックするように適合した第４のフィードバックユニットとを有する複数のＵＥを含む第３のセットである。
【００１９】
本発明を第２の側面から見れば、ＣｏＭＰ送信において複数の送信ポイントデバイスに属する複数のアンテナポートのＴＡＥとＦＡＥとの内の少なくともいずれかを補償する送信ポイントデバイスが備えられる。ここで、前記ＴＡＥは内部ＴＡＥと外部ＴＡＥとの内の少なくともいずれかを含む。前記送信ポイントデバイスは、１つ以上のＵＥから、前記内部ＴＡＥと前記外部ＴＡＥと前記ＦＡＥとの内の少なくともいずれかを受信するように適合した受信ユニットと、前記受信した前記内部ＴＡＥと前記外部ＴＡＥと前記ＦＡＥとの内の少なくともいずれかに基づいて、前記複数のアンテナポート各々について前記内部ＴＡＥと前記外部ＴＡＥと前記ＦＡＥとの内の少なくともいずれかを補償するように適合した補償ユニットとを有する。
【００２０】
本発明の実施例に従えば、前記内部ＴＡＥは同じ送信ポイントデバイスにおける複数のアンテナポートの間のＴＡＥであり、前記外部ＴＡＥは異なる送信ポイントデバイスにおける複数のアンテナポートの間のＴＡＥであり、前記ＦＡＥはサービング送信ポイントデバイスと他の送信ポイントデバイスとの間のＦＡＥと同じ送信ポイントデバイスにおける複数のアンテナポートの間のＦＡＥとの内の少なくともいずれかである。
【００２１】
本発明の実施例に従えば、前記内部ＴＡＥはセル固有であり、前記外部ＴＡＥと前記ＦＡＥとはＵＥ固有である。
【００２２】
本発明の実施例に従えば、前記送信ポイントデバイスは、前記１つ以上のＵＥから、前記内部ＴＡＥを測定しフィードバックするように適合した複数のＵＥを含む第１のセットと、前記外部ＴＡＥを測定しフィードバックするように適合した複数のＵＥを含む第２のセットと、前記ＦＡＥを測定しフィードバックするように適合した複数のＵＥを含む第３のセットとを判断するように適合した判断ユニットをさらに有する。
【００２３】
本発明の実施例に従えば、前記受信ユニットはさらに、前記複数のＵＥを含む前記第１のセットと前記複数のＵＥを含む前記第２のセットと前記複数のＵＥを含む前記第３のセットとから、前記内部ＴＡＥと前記外部ＴＡＥと前記ＦＡＥとの内の少なくともいずれかを受信するように適合している。
【００２４】
本発明の実施例に従えば、前記送信ポイントデバイスはさらに、前記受信ユニットにより受信される同じ送信ポイントデバイスに関係する、前記第１のセットの複数のＵＥの間の複数のＵＥにより測定される複数の内部ＴＡＥを平均することと、前記受信ユニットにより受信される同じペアの送信ポイントデバイスに関係する、前記第３のセットの複数のＵＥの間の複数のＵＥにより測定される複数のＴＡＥを平均することとの内、少なくともいずれかを実行するように適合した平均化ユニットを有する。
【００２５】
本発明の実施例に従えば、前記補償ユニットはさらに、前記平均化された内部ＴＡＥと前記平均化された外部ＴＡＥと前記平均化されたＦＡＥとの内の少なくともいずれかに基づいて、複数のアンテナポート各々について前記内部ＴＡＥと前記外部ＴＡＥと前記ＴＡＥとの内の少なくともいずれかを補償するように適合している。
【００２６】
本発明の実施例に従えば、前記判断ユニットは、チャネル条件に従って前記複数のＵＥを含む前記第１のセットを判断し、前記ＣｏＭＰによりサービスを受けているものとして前記複数のＵＥを含む前記第２のセットを判断し、チャネル条件に従って前記複数のＵＥを含む前記第３のセットを判断する。
【００２７】
本発明の実施例に従えば、前記補償ユニットは、時間領域で前記内部ＴＡＥを補償し、周波数領域で前記外部ＴＡＥと前記ＦＡＥの両方を補償する。
【００２８】
本発明の実施例に従えば、前記補償ユニットは、前記受信した内部ＴＡＥと前記受信した外部ＴＡＥと前記受信したＦＡＥとの内の少なくともいずれかに基づいて、前記複数の送信ポイントデバイスから複数のアンテナポート各々へ送信される信号について、前記内部ＴＡＥと前記外部ＴＡＥと前記ＦＡＥとの内の少なくともいずれかによる位相差を補償する。
【００２９】
本発明を第３の側面から見れば、ＣｏＭＰ送信において複数の送信ポイントデバイスに属する複数のアンテナポートのＴＡＥとＦＡＥとの内の少なくともいずれかを補償するシステムが備えられる。ここで、前記ＴＡＥは内部ＴＡＥと外部ＴＡＥとの内の少なくともいずれかを含む。そのシステムは、本発明に従う１つ以上のＵＥと、本発明に従う送信ポイントデバイスとを有する。
【００３０】
本発明を第４の側面から見れば、ＵＥで用いられる方法が備えられる。その方法は、ＣｏＭＰ送信において複数の送信ポイントデバイスに属する複数のアンテナポートのＴＡＥとＦＡＥとの内の少なくともいずれかを測定する工程と、前記測定されたＴＡＥとＦＡＥとの内の少なくともいずれかを前記複数の送信ポイントデバイスの内の少なくとも１つにフィードバックする工程とを有し、前記ＴＡＥは内部ＴＡＥと外部ＴＡＥとの内の少なくともいずれかを含む。
【００３１】
本発明の実施例に従えば、前記内部ＴＡＥは同じ送信ポイントデバイスにおける複数のアンテナポートの間のＴＡＥであり、前記外部ＴＡＥは異なる送信ポイントデバイスにおける複数のアンテナポートの間のＴＡＥであり、前記ＦＡＥはサービング送信ポイントデバイスと他の送信ポイントデバイスとの間のＦＡＥと同じ送信ポイントデバイスにおける複数のアンテナポートの間のＦＡＥとの内の少なくともいずれかである。
【００３２】
本発明の実施例に従えば、前記内部ＴＡＥはセル固有であり、前記外部ＴＡＥと前記ＦＡＥとはＵＥ固有である。
【００３３】
本発明の実施例に従えば、前記方法はさらに、プリコーディングマトリクスインデックス（ＰＭＩ）とチャネル品質インジケータ（ＣＱＩ）とランクインジケータ（ＲＩ）との内の少なくとも１つを、前記測定された内部ＴＡＥと前記測定された外部ＴＡＥと前記測定されたＦＡＥとの内の少なくともいずれかで補償されたチャネルに基づいて計算する工程と、前記複数の送信ポイントデバイスの内の少なくとも１つに、前記計算の結果をフィードバックする工程とを有する。
【００３４】
本発明の実施例に従えば、前記ＴＡＥを測定する工程は、特定の時刻で異なる周波数の複数のアンテナポートの間の位相差に基づいて実行される。
【００３５】
本発明の実施例に従えば、前記ＦＡＥを測定する工程は、特定の周波数の異なる時刻で複数のアンテナポートの間の位相差に基づいて実行される。
【００３６】
本発明の実施例に従えば、前記ＵＥは、それぞれが複数のＵＥを含む第１のセットと第２のセットと第３のセットとの内の少なくとも１つのセットに属し、前記複数のＵＥを含む第１のセットは、それぞれのＵＥが前記内部ＴＡＥを測定し、前記複数の送信ポイントデバイスの少なくとも１つに前記内部ＴＡＥをフィードバックし、前記複数のＵＥを含む第２のセットは、それぞれのＵＥが前記外部ＴＡＥを測定し、前記複数の送信ポイントデバイスの少なくとも１つに前記外部ＴＡＥをフィードバックし、前記複数のＵＥを含む第３のセットは、それぞれのＵＥが前記ＦＡＥを測定し、前記複数の送信ポイントデバイスの少なくとも１つに前記ＦＡＥをフィードバックする。
【００３７】
本発明を第５の側面から見れば、ＣｏＭＰ送信において複数の送信ポイントデバイスに属する複数のアンテナポートのＴＡＥとＦＡＥとの内の少なくともいずれかを送信ポイントデバイスにより補償する方法が備えられる。ここで、前記ＴＡＥは内部ＴＡＥと外部ＴＡＥとの内の少なくともいずれかを含む。その方法は、１つ以上のＵＥから、前記内部ＴＡＥと前記外部ＴＡＥと前記ＦＡＥとの内の少なくともいずれかを受信する工程と、前記受信した前記内部ＴＡＥと前記外部ＴＡＥと前記ＦＡＥとの内の少なくともいずれかに基づいて、前記複数のアンテナポート各々について前記内部ＴＡＥと前記外部ＴＡＥと前記ＦＡＥとの内の少なくともいずれかを補償する工程とを有する。
【００３８】
本発明の実施例に従えば、前記内部ＴＡＥは同じ送信ポイントデバイスにおける複数のアンテナポートの間のＴＡＥであり、前記外部ＴＡＥは異なる送信ポイントデバイスにおける複数のアンテナポートの間のＴＡＥであり、前記ＦＡＥはサービング送信ポイントデバイスと他の送信ポイントデバイスとの間のＦＡＥと同じ送信ポイントデバイスにおける複数のアンテナポートの間のＦＡＥとの内の少なくともいずれかである。
【００３９】
本発明の実施例に従えば、前記内部ＴＡＥはセル固有であり、前記外部ＴＡＥと前記ＦＡＥとはＵＥ固有である。
【００４０】
本発明の実施例に従えば、前記方法はさらに、前記１つ以上のＵＥから、前記内部ＴＡＥを測定しフィードバックするように適合した複数のＵＥを含む第１のセットと、前記外部ＴＡＥを測定しフィードバックするように適合した複数のＵＥを含む第２のセットと、前記ＦＡＥを測定しフィードバックするように適合した複数のＵＥを含む第３のセットとを判断する工程を有する。
【００４１】
本発明の実施例に従えば、前記受信する工程において、前記内部ＴＡＥと前記外部ＴＡＥと前記ＦＡＥとの内の少なくともいずれかは、前記複数のＵＥを含む前記第１のセットと前記複数のＵＥを含む前記第２のセットと前記複数のＵＥを含む前記第３のセットとから、それぞれ受信される。
【００４２】
本発明の実施例に従えば、前記方法はさらに、同じ送信ポイントデバイスに関係する、前記第１のセットの複数のＵＥの間の複数のＵＥにより測定される複数の内部ＴＡＥを平均することと、同じペアの送信ポイントデバイスに関係する、前記第３のセットの複数のＵＥの間の複数のＵＥにより測定される複数のＴＡＥを平均することとの内、少なくともいずれかを実行する工程を有する。
【００４３】
本発明の実施例に従えば、前記補償する工程において、前記平均化された内部ＴＡＥと前記平均化された外部ＴＡＥと前記平均化されたＦＡＥとの内の少なくともいずれかに基づいて、複数のアンテナポート各々について前記内部ＴＡＥと前記外部ＴＡＥと前記ＴＡＥとの内の少なくともいずれかが補償される。
【００４４】
本発明の実施例に従えば、前記複数のＵＥを含む前記第１のセットを判断する工程は、チャネル条件に従って実行され、前記複数のＵＥを含む前記第２のセットを判断する工程は、ＵＥが前記ＣｏＭＰ送信によりサービスを受ける前記ＵＥであるかどうかに従って実行され、前記複数のＵＥを含む前記第３のセットを判断する工程はチャネル条件に従って実行される。
【００４５】
本発明の実施例に従えば、前記内部ＴＡＥを補償する工程は時間領域で実行され、前記外部ＴＡＥと前記ＦＡＥの両方を補償する工程は周波数領域で実行される。
【００４６】
本発明の実施例に従えば、前記補償する工程は、前記受信した内部ＴＡＥと前記受信した外部ＴＡＥと前記受信したＦＡＥとの内の少なくともいずれかに基づいて、前記複数の送信ポイントデバイスから複数のアンテナポート各々へ送信される信号について、前記内部ＴＡＥと前記外部ＴＡＥと前記ＦＡＥとの内の少なくとも少なくともいずれかによる位相差を補償する工程を有する。
【００４７】
本発明を第６の側面から見れば、コンピュータプログラム製品が備えられる。そのコンピュータプログラム製品は、コンピュータ実行可能なコードを格納したコンピュータ可読媒体を有し、そのコードが実行された場合、プロセッサに本発明に従う方法を実行させるようにする。
【００４８】
本発明を第７の側面から見れば、実行時にはプロセッサに本発明に従う方法を実行させるコンピュータ実行可能なコードを格納したコンピュータ可読媒体が備えられる。
【００４９】
本発明は、簡単で直接的で効率的なアプローチを提供して、ＵＥによるセル固有の内部ＴＡＥとＵＥ固有の外部ＴＡＥとＦＡＥとを測定してフィードバックし、ＣｏＭＰ送信における送信ポイントデバイスによるＴＡＥ／ＦＡＥを補償して前記ＣｏＭＰ送信が正しく動作できるようにする。
【００５０】
添付図面は実施例の更なる理解を提供するとともに、組み込まれてこの説明の一部を構成する。その添付図面は実施例を例示し、詳細な説明とともに実施例の原理を説明する役割を果たす。その添付図面の構成要素は互いに関して正しく縮尺することは必ずしも必要ではない。同じ参照番号は対応する類似の部分を示している。なお、これらの図面は例示目的のために含められているのであって、本発明の範囲を如何なる方法でも限定するものではないことを理解されたい。
【図面の簡単な説明】
【００５１】
【図１】本発明の実施例に従うユーザ機器を示すブロック図である。
【図２】本発明の実施例に従う送信ポイントデバイスを示すブロック図である。
【図３】本発明の実施例に従う視野方向の場の測定から得た、複数のポート間の位相差と副搬送波インデックスとの関係を示すグラフである。
【図４】本発明の実施例に従う複数のＴＡＥの同時フィードバックの処理を示す図である。
【図５】本発明の実施例に従う複数のＦＡＥの同時フィードバックの処理を示す図である。
【図６】本発明の実施例に従うユーザ機器において用いられる方法を示すフローチャートである。
【図７】本発明の実施例に従うユーザ機器において用いられる方法のオプションのステップを示すフローチャートである。
【図８】本発明の実施例に従う送信ポイントデバイスによる多地点協調送信において複数の送信ポイントデバイスに属する複数のアンテナポートの時間アライメントエラーと周波数アライメントエラーとの内の少なくともいずれかを補償する方法を示すフローチャートである。
【図９】ＵＥ３００の例を示すブロック図である。
【図１０】送信ポイントデバイス４００の例を示すブロック図である。
【発明を実施するための形態】
【００５２】
以下の説明では、限定目的ではなく説明目的のために、例えば、特定のアーキテクチュア、構造、技術などのような具体的な詳細について例示的に説明する。しかしながら、当業者にとって、これらの詳細な説明を逸脱した別の実施例も依然として本発明の範囲の中にあることと理解されることは明らかである。さらに加えて、説明を明瞭にするために、公知のデバイス、回路、方法の詳細な説明は本発明の説明をあいまいなものにしないために省略される。ここで説明する種々の代表的な実施例の特徴は、特に具体的な説明のない限り、互いに組み合わせられても良いことを理解されたい。
【００５３】
図１は本発明の実施例に従うユーザ機器（ＵＥ）１００を示すブロック図である。図２は本発明の実施例に従う送信ポイントデバイス２００を示すブロック図である。
【００５４】
図１に示されているように、ＵＥ１００は第１の測定ユニット１１０と第１のフィードバックユニット１２０とを備え、さらにオプションとして計算ユニット１３０を備える。図２に示されているように、送信ポイントデバイス２００は受信ユニット２１０と補償ユニット２２０とを有する。
【００５５】
本発明の実施例に従えば、ＣｏＭＰ送信の性能を改善するために、ＴＡＥとＦＡＥとの内の少なくともいずれかが測定され、チャネル状態情報（ＣＳＩ）として送信ポイントデバイスにフィードバックされる。第１の測定ユニット１１０はＣｏＭＰ送信における複数の送信ポイントデバイスに属する複数のアンテナポートについてＴＡＥとＦＡＥとの内の少なくともいずれかを測定する。本発明の実施例に従えば、ＣｏＭＰ送信はジョイント送信モードと協調スケジューリング／ビームフォーミングモードとの内の少なくともいずれかである。ＴＡＥが内部ＴＡＥと外部ＴＡＥとの内の少なくともいずれかを含む。
【００５６】
それから、第１のフィードバックユニット１２０は測定された内部ＴＡＥと測定された外部ＴＡＥと測定されたＦＡＥとの内の少なくともいずれかを、複数の送信ポイントデバイスの内の少なくとも１つにフィードバックする。
【００５７】
さらにまたオプションとしては、計算ユニット１３０が、プリコーディングマトリクスインデックス（ＰＭＩ）とチャネル品質インジケータ（ＣＱＩ）とランクインジケータ（ＲＩ）との内の少なくとも１つを、測定された内部ＴＡＥと測定された外部ＴＡＥと測定されたＦＡＥとの内の少なくともいずれかで補償されたチャネルに基づいて計算し、第１のフィードバックユニット（１２０）はさらに、複数の送信ポイントデバイスの内の少なくとも１つに、前記計算の結果をフィードバックする。
【００５８】
従って、送信ポイントデバイス２００では、受信ユニット２１０は、ＵＥ１００から、内部ＴＡＥと外部ＴＡＥとＦＡＥとの内の少なくともいずれかを受信し、補償ユニット２２０は、受信した内部ＴＡＥと外部ＴＡＥとＦＡＥとの内の少なくともいずれかに基づいて複数のアンテナポート各々についての内部ＴＡＥと外部ＴＡＥとＦＡＥとの内の少なくともいずれかを補償する。
【００５９】
オプション的には、補償ユニット２２０はさらに、計算されたＰＭＩとＣＱＩとＲＩとの内の少なくとも１つに基づいて複数のアンテナポート各々についての内部ＴＡＥと外部ＴＡＥとＦＡＥとの内の少なくともいずれかを補償すると良い。
【００６０】
本発明の実施例に従えば、送信ポイントデバイスは、基地局とノードＢと発展型ノードＢ（ｅＮＢ）との内の１つであると良い。これ以降、本発明はロングタームエボルーション（ＬＴＥ）のｅＮＢについて説明する。しかしながら、そのような説明は単に代表的なものであるに過ぎず、限定的なものではない。基地局、ノードＢ、或いは、同様の構成を有する他のエンティティにも本発明は適用できる。
【００６１】
内部ＴＡＥは１つのセルにサービスしているｅＮＢにおける複数のアンテナポートの間のＴＡＥであり、外部ＴＡＥは異なるセルにサービスしている複数のｅＮＢの複数のアンテナポートの間のＴＡＥであり、ＦＡＥはＵＥにサービスしているｅＮＢと他のｅＮＢとの間のＦＡＥと同じ送信ポイントデバイスにおける複数のアンテナポートの間のＦＡＥとの内の少なくともいずれかである。ＣｏＭＰ送信では、内部ＴＡＥと外部ＴＡＥとＦＡＥとの内の１つ以上が同時に存在できる。従って、内部ＴＡＥと外部ＴＡＥとＦＡＥとの内のいずれか１つ、いずれか２つ、或いは全ての補償が必要とされるかもしれない。これ以降、説明を簡潔にするために、“ＴＡＥ／ＦＡＥ”という表現は内部ＴＡＥと外部ＴＡＥとＦＡＥとの内の少なくともいずれかを表わす、従って、これらの内のいずれか１つ、いすれか２つ、或いは全てを表わすために用いられる。
【００６２】
式（２）から、ＴＡＥは周波数に対する位相の傾きであることが理解できる。視線方向（ＬＯＳ）チャネルに関し、式（２）は図３に示されている実際の測定結果に概してよく似ている。図３は本発明の実施例に従うＬＯＳ場の測定から得られる複数のポート間の位相差と副搬送波インデックス（即ち、周波数）との関係を図示している。
【００６３】
それ故に、（ｋ1，ｍ1）番目のポートと（ｋ2，ｍ2）番目のポートとの間のＴＡＥは、
ＴＡＥ＝｛θk1,k2,m1,m2（ｆ1，ｔ）−θk1,k2,m1,m2（ｆ2，ｔ）｝／｛−ｊ２π（ｆ1−ｆ2）｝
（４）
で与えられる。
【００６４】
式（４）から、ＴＡＥは第１の測定ユニット１１０により特定の時刻で異なる周波数の位相差に基づいて測定されることが理解できる。ＴＡＥの精度を改善するために、より多くの周波数サンプルを用いて、最小二乗（ＬＳ）法に基づいてＴＡＥを推定することができる。
【００６５】
同様に、ＦＡＥは、
ＦＡＥ＝｛θk1,k2,m1,m2（ｆ，ｔ1）−θk1,k2,m1,m2（ｆ，ｔ2）｝／｛−ｊ２π（ｔ1−ｔ2）｝
（５）
により測定される。
【００６６】
式（５）から、ＦＡＥは第１の測定ユニット１１０により特定の周波数の異なる時刻での位相差に基づいて測定されることが理解できる。ＦＡＥの精度を改善するために、この技術分野で公知の伝統的な最適化技術に基づいてより多くの時間サンプルが用いられる。
【００６７】
ＴＡＥとＦＡＥとを測定する上述のアプローチは単に代表的なものに過ぎず、限定的なものではない。他のアプローチが適合されても良い。
【００６８】
本発明の実施例に従えば、１つのＵＥが用いられてＴＡＥ／ＦＡＥを測定してｅＮＢにフィードバックする。或いは、複数のＵＥが用いられても良い。オプション的には、複数のＵＥを含む３つのセットが用いられても良い。即ち、これら３つのセットとは、それぞれが内部ＴＡＥを測定するように適合した第２の測定ユニットと複数のｅＮＢの少なくとも１つにその内部ＴＡＥをフィードバックするように適合した第２のフィードバックユニットとを有する複数のＵＥを含む第１のセットと、それぞれが外部ＴＡＥを測定するように適合した第３の測定ユニットと複数のｅＮＢの少なくとも１つにその外部ＴＡＥをフィードバックするように適合した第３のフィードバックユニットとを有する複数のＵＥを含む第２のセットと、それぞれがＦＡＥを測定するように適合した第４の測定ユニットと複数のｅＮＢの少なくとも１つにそのＦＡＥをフィードバックするように適合した第４のフィードバックユニットとを有する複数のＵＥを含む第３のセットである。上記３つのセットは完全に異なるセットでも良いし、部分的に重なったセットでも良いし、或いは、完全に重なったセットでも良い。さらに、内部ＴＡＥと外部ＴＡＥとＦＡＥとの内のいすれか１つ、いずれか２つ、或いは全てが存在しているかどうかに基づいて、複数のＵＥから成るこれら３つのセットのいずれか１つ、いずれか２つ、或いは、全てが必要とされる。
【００６９】
内部ＴＡＥに関し、異なるＵＥは同じ内部ＴＡＥを経験するであろう。それ故に、内部ＴＡＥはセル固有である。外部ＴＡＥに関し、各ＵＥは自分のサービングｅＮＢに関し隣接し協働しているｅＮＢの外部ＴＡＥを測定しフィードバックできる。空中での遅延が異なるＵＥからは異なるので、これらのＴＡＥは異なるＵＥに対して異なっている。結果として、外部ＴＡＥはＵＥ固有である。従って、外部ＴＡＥは異なるＵＥにわたって平均化できない。複数のＴＡＥの可能な同時フィードバックが図４に示されている。図４に示されているように、内部ＴＡＥは同じセルの複数のＵＥからのＴＡＥの間で平均をとることにより得られる。また、外部ＴＡＥはＵＥ自身のサービングｅＮＢと非サービングｅＮＢとの間のＴＡＥでも良い。
【００７０】
さらにＦＡＥもＵＥ固有である。複数のＦＡＥの同時フィードバックは、サービングｅＮＢと別の協働しているｅＮＢとの間のＦＡＥ測定と同じｅＮＢにおける複数のアンテナポートの間のＦＡＥとの内の少なくともいずれかを含む。図５は多数のＦＡＥの可能性のある同時フィードバックを示している。ここで、サービングｅＮＢと他の協働している非サービングｅＮＢとの間のＦＡＥと同じｅＮＢにおける複数のアンテナポートの間のＦＡＥとの間のＦＡＥとの内の少なくともいずれかが測定されてフィードバックされる。
【００７１】
本発明の実施例に従えば、送信ポイントデバイス２００はさらに、複数のＵＥから、複数のＵＥを含む第１のセットと、複数のＵＥを含む第２のセットと、複数のＵＥを含む第３のセットとを判断できる判断ユニット２０５を有しても良い。
【００７２】
特に、サービングｅＮＢにおける判断ユニット２０５は動的に、複数のＵＥを含むこれら３つのセットを判断する。オプション的には、判断ユニット２０５は、良好なチャネル状態を経験する複数のＵＥを、例えば、ＬＯＳで高い信号対干渉＋雑音比（ＳＩＮＲ）或いはフラットなチャネルをもつ複数のＵＥを、複数のＵＥを含む第１のセットとして判断する。そのような条件では、ＵＥはＴＡＥを良好な精度で測定することが予想される。これらのＵＥはシングルセルＵＥでも良いし、また、ＣｏＭＰＵＥであっても良い。
【００７３】
判断ユニット２０５はさらに、ＣｏＭＰ送信によりサービスを受けている複数のＵＥを、複数のＵＥを含む第２のセットとして判断する。なぜなら、ＣｏＭＰ送信をしているＵＥだけが外部ＴＡＥを補償するためにｅＮＢを必要とするからである。
【００７４】
さらにその上、判断ユニット２０５は良好なチャネル状態をもつ複数のＵＥ、例えば、低速で高いＳＩＮＲをもつ複数のＵＥを、複数のＵＥを含む第３のセットとして判断する。例えば、ＣｏＭＰ−ＪＴモードにあるＵＥは第３のセットの１つとして判断され、ＣｏＭＰ−ＪＴモードにない他のＵＥもまた含められても良い。これらＵＥの両方ともサービングｅＮＢと隣接ｅＮＢとの間のＦＡＥとサービングｅＮＢにおける複数のアンテナポートの間のＦＡＥとの内の少なくともいずれかを測定することができる。上述の判断はアップリンクチャネル推定と他の品質推定とに基づいてなされる。
【００７５】
従って、受信ユニット２１０はさらに、複数のＵＥを含む第１のセットと複数のＵＥを含む第２のセットと複数のＵＥを含む第３のセットとから、内部ＴＡＥと外部ＴＡＥとＦＡＥとの内の少なくともいずれかを受信する。
【００７６】
本発明の実施例に従えば、送信ポイントデバイス２００はさらに、平均化ユニット２０６を有すると良い。平均化ユニット２０６は、受信ユニット２１０により受信される同じ送信ポイントデバイスに関係する、第１のセットの複数のＵＥの間の複数のＵＥにより測定される複数の内部ＴＡＥを平均することと、受信ユニット２１０により受信される同じペアの送信ポイントデバイスに関係する、第３のセットの複数のＵＥの間の複数のＵＥにより測定される複数のＴＡＥを平均することとの内、少なくともいずれかを実行し、ＴＡＥ／ＦＡＥに関する測定の精度が高められる。
【００７７】
それから、補償ユニット２２０は、平均化された内部ＴＡＥと平均化された外部ＴＡＥと平均化されたＦＡＥとの内の少なくともいずれかに基づいて、複数のアンテナポート各々について内部ＴＡＥと外部ＴＡＥとＴＡＥとの内の少なくともいずれかを補償することができる。
【００７８】
本発明の実施例に従えば、ｍ番目の送信ポイントデバイスのｋ番目のポートにおける合成補償信号は、
Ｓk,m（ｔ）＝ΣNi=0ｅｘｐ｛−ｊ２π＊ＦＡＥk,m（ｉ）＊ｔ｝Ｓi｛ｔ−（ＴＡＥk,m（ｔ））｝      （６）
で与えられる。
【００７９】
ここで、Ｓi（ｔ）はｉ番目のＵＥに送信される元信号であり、ＦＡＥk,m（ｉ）とＴＡＥk,m（ｉ）とは（ｋ，ｍ）番目のアンテナポートにおけるｉ番目のＵＥのＦＡＥとＴＡＥとであり、Ｎは複数のＵＥの数である。ＴＡＥk,m（ｉ）は内部ＴＡＥと外部ＴＡＥとを含む。
【００８０】
本発明の実施例に従えば、補償ユニット２２０は時間領域で内部ＴＡＥを補償し、周波数領域で外部ＴＡＥとＦＡＥの両方を補償する。さらに、本発明の実施例に従えば、補償ユニット２２０は、受信した内部ＴＡＥと受信した外部ＴＡＥと受信したＦＡＥとの内の少なくともいずれかに基づいて、複数の送信ポイントデバイスから複数のアンテナポート各々へ送信される信号について、内部ＴＡＥと外部ＴＡＥとＦＡＥとの内の少なくとも少なくともいずれかによる位相差を補償する。しかしながら、これは単なる代表的な例に過ぎず、他の補償のやり方を適合させることもできる。
【００８１】
原理的に言えば、内部ＴＡＥとＦＡＥの補償はシングルセルＵＥでもＣｏＭＰ通信を行うＵＥでも用いられ、外部ＴＡＥの補償はＣｏＭＰ通信を行うＵＥに対してのみ有効である。
【００８２】
オプション的には、内部ＴＡＥが最初に補償され、それから外部ＴＡＥとＦＡＥとが補償される。しかしながら、補償のためのそのような順番は単なる代表的な例に過ぎず、実際の要求に従って他の順番が適合されても良い。
【００８３】
また本発明の実施例では、ＣｏＭＰ送信において複数の送信ポイントデバイスに属する複数のアンテナポートのＴＡＥとＦＡＥとの内の少なくともいずれかを補償するシステムを提供し、そのシステムは本発明の上述した実施例に従う１つ以上のＵＥと送信ポイントデバイスとを有する。
【００８４】
図６は本発明の実施例に従うユーザ機器において用いられる方法１０００を示すフローチャートであり、図７は本発明の実施例に従うユーザ機器において用いられる方法のオプションのステップを示すフローチャートであり、図８は本発明の実施例に従う送信ポイントデバイスによるＣｏＭＰにおいて複数の送信ポイントデバイスに属する複数のアンテナポートのＴＡＥとＦＡＥとの内の少なくともいずれかを補償する方法２０００を示すフローチャートである。本発明の実施例に従えば、ＣｏＭＰ送信は、ジョイント送信モードと協調スケジューリング／ビームフォーミングモードとの内の少なくともいずれかで良い。ＴＡＥは内部ＴＡＥと外部ＴＡＥとの内の少なくともいずれかを含む。
【００８５】
オプション的には、方法１０００は本発明に従う上述のＵＥ１００により実行され、方法２０００は本発明に従う上述の送信ポイントデバイス２００により実行される。
【００８６】
図６に示されているように、方法１０００はＣｏＭＰにおいて複数の送信ポイントデバイスに属する複数のアンテナポートのＴＡＥとＦＡＥとの内の少なくともいずれかを測定するステップ１１００で始まる。オプションとして、ステップ１１００が本発明に従うＵＥ１００の上述した第１の測定ユニット１１０により実行されても良い。ＴＡＥは内部ＴＡＥと外部ＴＡＥとの内の少なくともいずれかを含む。
【００８７】
それから、ステップ１２００では、測定された内部ＴＡＥと外部ＴＡＥとＦＡＥとの内の少なくともいずれかが複数の送信ポイントデバイスの内の少なくとも１つにフィードバックされる。オプションとして、ステップ１２００が本発明に従うＵＥ１００の上述した第１のフィードバックユニット１２０により実行されても良い。
【００８８】
本発明の実施例に従えば、図７に示されているように、方法１０００はさらに、プリコーディングマトリクスインデックス（ＰＭＩ）とチャネル品質インジケータ（ＣＱＩ）とランクインジケータ（ＲＩ）との内の少なくとも１つを、測定された内部ＴＡＥと測定された外部ＴＡＥと測定されたＦＡＥとの内の少なくともいずれかで補償されたチャネルに基づいて計算するステップ１３００と、複数の送信ポイントデバイスの内の少なくとも１つに、前記計算の結果をフィードバックするステップ１４００とを有する。オプションとしては、ステップ１３００と１４００とはそれぞれ、本発明に従うＵＥ１００の上述した計算ユニット１３０と第１のフィードバックユニット１２０により実行されても良い。
【００８９】
従って、図８に示すように、方法２０００は１つ以上のＵＥから、内部ＴＡＥと外部ＴＡＥとＦＡＥとの内の少なくともいずれかを受信するステップ２１００で始まる。オプションとして、ステップ２１００は本発明に従う送信ポイントデバイス２００の上述の受信ユニット２１０により実行されても良い。
【００９０】
それから、ステップ２２００では、受信した内部ＴＡＥと外部ＴＡＥとＦＡＥとの内の少なくともいずれかに基づいて、複数のアンテナポート各々について内部ＴＡＥと外部ＴＡＥとＦＡＥとの内の少なくともいずれかが補償される。オプションとして、ステップ２２００は本発明に従う送信ポイントデバイス２００の上述した補償ユニット２２０により実行されても良い。
【００９１】
オプション的には、複数のアンテナポート各々についての内部ＴＡＥと外部ＴＡＥとＦＡＥとの内の少なくともいずれかはさらに、計算されたＰＭＩとＣＱＩとＲＩとの内の少なくとも１つに基づいて補償されると良い。
【００９２】
本発明の実施例に従えば、その送信ポイントデバイスは、基地局、ノードＢ、或いは、発展型ノードＢ（ｅＮＢ）の内の１つで良い。上述のように、また、代表的には、本発明についてこれ以降、ロングタームエボルーション（ＬＴＥ）用のｅＮＢに関して説明する。
【００９３】
上述のように、内部ＴＡＥは同じセルのｅＮＢにおける複数のアンテナポートの間のＴＡＥであり、外部ＴＡＥは異なるセルの複数のｅＮＢにおける複数のアンテナポートの間のＴＡＥであり、ＦＡＥはサービングｅＮＢと他のｅＮＢとの間のＦＡＥと同じｅＮＢにおける複数のアンテナポートの間のＦＡＥとの内の少なくともいずれかである。内部ＴＡＥはセル固有であり、外部ＴＡＥとＦＡＥとはＵＥ固有である。ＣｏＭＰ送信において、内部ＴＡＥと外部ＴＡＥとＦＡＥとは共存しても良いし、或いは、別々に存在しても良い。従って、内部ＴＡＥと外部ＴＡＥとＦＡＥとの内のいずれか１つ、いずれか２つ、或いは、全ての補償が必要とされるかもしれない。これ以降、説明を簡単にするために、“ＴＡＥ／ＦＡＥ”という表現は、内部ＴＡＥと外部ＴＡＥとＦＡＥとの内の少なくともいずれかを表わす、従って、これらの内のいずれか１つ、いずれか２つ、或いは、全てを表わすために用いられる。
【００９４】
図３と式（４）と式（５）とを参照してなされた第１の測定ユニット１１０によるＴＡＥとＦＡＥとを測定する例の上述した説明はまた、測定ステップ１１００にも適用できるので、説明を簡単にするために繰り返して述べない。従って、ＴＡＥを測定するステップは特定の時刻で異なる周波数の複数のアンテナポートの間の位相差に基づいて実行され、そして、ＦＡＥを測定するステップは、特定の周波数の異なる時刻で複数のアンテナポートの間の位相差に基づいて実行される。
【００９５】
再び、本発明の実施例に従えば、ただ１つのＵＥだけが用いられてＴＡＥ／ＦＡＥを測定し、ｅＮＢにフィードバックする。或いは、複数のＵＥが適合されても良い。オプションとしては、それぞれが複数のＵＥを含む３つのセットがあっても良い。即ち、複数のＵＥを含む第１のセットは、それぞれが内部ＴＡＥを測定し、複数のｅＮＢの少なくとも１つに内部ＴＡＥをフィードバックするものであり、複数のＵＥを含む第２のセットは、それぞれが外部ＴＡＥを測定し、複数のｅＮＢの少なくとも１つに外部ＴＡＥをフィードバックするものであり、複数のＵＥを含む第３のセットは、それぞれがＦＡＥを測定し、複数のｅＮＢの少なくとも１つにＦＡＥをフィードバックするものである。上記３つのセットは完全に異なるセットでも良いし、或いは、部分的に重複していても良いし、或いは、完全に重複していても良い。さらに、内部ＴＡＥと外部ＴＡＥとＦＡＥとのいずれか１つ、いずれか２つ、或いは、全てが存在しているかどうかに基づいて、複数のＵＥを含むこれら３つのセットの内のいずれか１つ、いずれか２つ、或いは全てが必要とされる。
【００９６】
図４と図５を参照してなされた複数のＴＡＥとＦＡＥとの同時フィードバックの例の上記説明はまた、方法１０００にも適用できるので、説明を簡単にするために繰り返して説明はしない。
【００９７】
本発明の実施例に従えば、方法２０００はさらに、１つ以上のＵＥから、複数のＵＥを含む第１のセットと、複数のＵＥを含む第２のセットと、複数のＵＥを含む第３のセットとを判断するステップ２０５０を有すると良い。オプションとしては、ステップ２０５０は本発明に従う送信ポイントデバイス２００の上述した判断ユニット２０５により実行され、判断ユニット２０５の詳細な動作はまたステップ２０５０に適用されるので、説明を簡単にするために、その説明は繰り返して行わない。特に、複数のＵＥを含む第１のセットを判断するステップは、そのチャネル条件に従って実行され、複数のＵＥを含む第２のセットを判断するステップは、ＵＥがＣｏＭＰ送信によりサービスを受けているＵＥであるかどうかに従って実行され、複数のＵＥを含む第３のセットを判断するステップはチャネル条件に従って実行される。
【００９８】
従って、ステップ２１００において、内部ＴＡＥと外部ＴＡＥとＦＡＥとの内の少なくともいずれかは、複数のＵＥを含む第１のセットと複数のＵＥを含む第２のセットと複数のＵＥを含む第３のセットとから、それぞれ受信される。
【００９９】
本発明の実施例に従えば、方法２０００はさらに、同じ送信ポイントデバイスに関係する、第１のセットの複数のＵＥの間の複数のＵＥにより測定される複数の内部ＴＡＥを平均することと、同じペアの送信ポイントデバイスに関係する、第３のセットの複数のＵＥの間の複数のＵＥにより測定される複数のＴＡＥを平均することとの内、少なくともいずれかを実行するステップを有する。従って、ＴＡＥ／ＦＡＥに関する測定の精度は向上する。この平均をとるステップは、オプションとしては、本発明に従う送信ポイントデバイス２００の上述した平均化ユニット２０６により実行されても良い。
【０１００】
それから、ステップ２２００では、平均化された内部ＴＡＥと平均化された外部ＴＡＥと平均化されたＦＡＥとの内の少なくともいずれかに基づいて、複数のアンテナポート各々について内部ＴＡＥと外部ＴＡＥとＦＡＥとの内の少なくともいずれかが補償される。
【０１０１】
再び、本発明の実施例に従えば、ｍ番目の送信ポイントデバイスのｋ番目のポートにおける合成補償信号は、上述した式（６）により与えられる。
【０１０２】
本発明の実施例に従えば、内部ＴＡＥは時間領域で補償され、外部ＴＡＥとＦＡＥの両方は周波数領域で補償される。さらに、本発明の実施例に従えば、ステップ２２００は、受信した内部ＴＡＥと受信した外部ＴＡＥと受信したＦＡＥとの内の少なくともいずれかに基づいて、複数の送信ポイントデバイスから複数のアンテナポート各々へ送信される信号について、内部ＴＡＥと外部ＴＡＥとＦＡＥとの内の少なくとも少なくともいずれかによる位相差を補償するステップを有すると良い。しかしながら、これは単なる代表的な例に過ぎず、他の補償を行うやり方が適合されても良い。
【０１０３】
また、補償を行う順番に関し、内部ＴＡＥが最初に補償され、それから外部ＴＡＥとＦＡＥとが補償される。しかしながら、補償に関するそのような順番は単なる代表的な例に過ぎず、他の順番が実際の要求に従って適合されても良い。
【０１０４】
さらにその上、本発明の実施例は必要な変更を加えて、シングルポイント送信のシナリオのアプリケーションにも適用することができる。ここで、ＴＡＥは、同じ送信ポイントデバイスにおける複数のアンテナポートの間のＴＡＥであり、ＦＡＥは、その同じ送信ポイントデバイスにおける複数のアンテナポートの間のＦＡＥである。例えば、ＵＥ側では、最初に送信ポイントデバイスに属する複数のアンテナポートに関するＴＡＥとＦＡＥとの内の少なくともいずれかが測定される。そのＴＡＥとＦＡＥの両方ともセル固有であるかもしれない。オプションとしては、ＴＡＥを測定することは、特定の時刻で異なる周波数の複数のアンテナポートの間の位相差に基づいて実行されても良いし、ＦＡＥを測定することは、特定の周波数の異なる時刻で複数のアンテナポートの間の位相差に基づいて実行されても良い。第２に、測定されたＴＡＥと測定されたＦＡＥとの内の少なくともいずれかは送信ポイントデバイスにフィードバックされると良い。さらに、そして、オプション的に、プリコーディングマトリクスインデックス（ＰＭＩ）とチャネル品質インジケータ（ＣＱＩ）とランクインジケータ（ＲＩ）との内の少なくとも１つが、測定されたＴＡＥと測定されたＦＡＥとの内の少なくともいずれかで補償されたチャネルに基づいて計算され、その計算の結果が送信ポイントデバイスにフィードバックされると良い。
【０１０５】
更に、シングルポイント送信における送信ポイントデバイス側で、例えば、最初に、複数のアンテナポート各々に関してＴＡＥとＦＡＥとの内の少なくともいずれかが、受信されたＴＡＥと受信されたＦＡＥとの内の少なくともいずれかに基づいて補償されると良い。オプションとしては、ＴＡＥを補償することが時間領域で実行され、ＦＡＥを補償することが周波数領域で実行されると良い。さらに、そのような補償は、受信したＴＡＥと受信したＦＡＥとの内の少なくともいずれかに基づいて、送信ポイントデバイスから複数のアンテナポート各々へ送信される信号について、ＴＡＥとＦＡＥとの内の少なくともいずれかによる位相差を補償するステップを有すると良い。さらに、そして、オプション的に、同じ送信ポイントデバイスに関係する複数のＵＥにより測定される複数の内のＴＡＥとＦＡＥとの内の少なくともいずれかがを平均され、従って、複数のアンテナポート各々についてＴＡＥとＦＡＥとの内の少なくともいずれかが、平均されたＴＡＥと平均されたＦＡＥとの内の少なくともいずれかに基づいて、補償される。
【０１０６】
例示したユーザ機器（ＵＥ）は、ハードウェアとソフトウェアの何らかの適切な組み合わせを含む通信デバイスを表わしているが、特定の実施例では、そのＵＥは図９でより詳細に例示されたＵＥ３００の例のようなデバイスを表わしている。同様に、例示した送信ポイントデバイスは、ハードウェアとソフトウェアの何らかの適切な組み合わせを含む送信ポイントデバイスを表わしているが、特定の実施例では、これらの送信ポイントデバイスは図１０でより詳細に例示された送信ポイントデバイス４００の例のようなデバイスを表わしている。
【０１０７】
図９に示されているように、ＵＥ３００の例は、処理回路３２０、メモリ３３０、無線回路３１０、そして、少なくとも１つのアンテナを含む、無線回路３１０は、ＲＦ回路とベースバンド処理回路（不図示）とを含むと良い。特定の実施例では、第１の測定ユニット１１０と第１のフィードバックユニット１２０により提供されている上述した機能のいくつか又は全てが、図９に示すメモリ３３０のようなコンピュータ可読媒体に格納された命令を実行する処理回路３２０により提供されても良い。ＵＥ３００の代替的な実施例では上述した機能のいずれかと上述した解決策をサポートするのに必要な機能のいずれかとの内の少なくともいずれかを含む、ＵＥの機能の一定の側面を提供することを担う図９に示されたものの域を超えた付加的な構成要素を含んでいても良い。
【０１０８】
図１０に示されているように、送信ポイントデバイス４００の例は、処理回路４２０、メモリ４３０、無線回路４１０、ネットワークインタフェース４４０、そして、少なくとも１つのアンテナを含む、処理回路４２０は、ＲＦ回路とベースバンド処理回路（不図示）とを含むと良い。特定の実施例では、受信ユニット２１０と補償ユニット２２０により提供されている上述した機能のいくつか又は全てが、図１０に示すメモリ４３０のようなコンピュータ可読媒体に格納された命令を実行する処理回路４２０により提供されても良い。ネットワークノード４００の代替的な実施例では上述した機能のいずれかと上述した解決策をサポートするのに必要な機能のいずれかとの内の少なくともいずれかを含む、付加的な機能を提供することを担当する付加的な構成要素を含んでいても良い。
【０１０９】
本発明の実施例はまた、上述した方法のステップの一部又は全てを実行する１つ以上のデバイスや装置のプログラム（例えば、コンピュータプログラムやコンピュータプログラム製品）として実施されても良い。本発明を実施するそのようなプログラムはコンピュータ可読媒体に格納されていると良いし、或いは、例えば、１つ以上の信号形式で存在しても良い。そのような信号は、インターネットウェブサイトからダウンロード可能なデータ信号であっても良いし、或いは、搬送波信号や他の形式で提供されても良い。
【０１１０】
従って、本発明は、簡単で直接的で効率的なアプローチを提供して、ＵＥによるセル固有の内部ＴＡＥとＵＥ固有の外部ＴＡＥとＦＡＥとを測定してフィードバックし、ＣｏＭＰ送信における送信ポイントデバイスによりＴＡＥ／ＦＡＥを補償して、そのＣｏＭＰ送信が正しく動作できるようにする。ＵＥのサブバンドＰＭＩフィードバックと比較して、本発明はＴＡＥを測定するためのより高速な方法を提供し、ＴＡＥフィードバックのためのオーバヘッドは小さい。さらに、いくつかの実施例に従えば、ＴＡＥ／ＦＡＥを測定しフィードバックする複数のＵＥのセットは、上位のシグナリングを用いる送信ポイントデバイスにより動的に決定され、サービング送信ポイントデバイスは非サービング送信ポイントデバイスと３ＧＰＰ  Ｘ２プロトコルにより受信されたＴＡＥ／ＦＡＥを共用し、ＵＥによる複数のＴＡＥ／ＦＡＥの同時フィードバックがサポートされる。本発明の実施例は、例えば、シングルポイント送信、マルチポイント送信、分散アンテナシステム、或いは、複数の無線リモートユニット（ＲＲＵ）を備えるＭＩＭＯシステムなど、多くの応用シナリオに適用可能である。
【０１１１】
なお、上述した実施例は例示的なものであって本発明を限定するものではなく、添付された請求の範囲を逸脱することなく代替的な実施例が当業者により設計可能である。用語「含む」は存在はするが請求の範囲に記載されていない構成要素や工程を除外するものではない。これら構成要素に先行する用語“ａ”或いは“ａｎ”はそのような構成要素が複数存在することを除外するものではない。複数の構成要素を列挙する装置の請求項において、これらの構成要素の内のいくつかのものが具体的には同じハードウェアで実施されても良い。第１、第２、第３といった用語の用法は、いかなる順番を表わしているものではなく、それらは単に記号として説明されているに過ぎない。
【図１】
2014527346.tif 000003
【図２】
2014527346.tif 000004
【図４】
2014527346.tif 000005
【図５】
2014527346.tif 000006
【図６】
2014527346.tif 000007
【図７】
2014527346.tif 000008
【図８】
2014527346.tif 000009
【図９】
2014527346.tif 000010
【図１０】
2014527346.tif 000011
【図３】
2014527346.tif 000012
【国際調査報告】
2014527346.tif 000013
2014527346.tif 000014
2014527346.tif 000015